(57)【特許請求の範囲】
【請求項１】
所定幅の板状に形成され縦断面形状が略ヘ字形に折り曲げられて、雨樋の上部開口を覆う雨樋ネットを下支えする本体部材と、
この本体部材の前端部に形成され、雨樋の前側縁部の前耳部に係合する前端取付部と、
上記本体部材の後端部にて、雨樋の両側縁部間の幅が異なるものに対応して係合可能に該本体部材の長手方向に沿って複数段形成され、雨樋の後側縁部の後耳部に係合する後端取付部と、
上記本体部材の前端取付部よりも内側寄りに設けられ上記雨樋ネットの前側辺部を挿入して挟み込む挟み込み部を有すると共に、この挟み込み部内にて上記本体部材の長手方向に沿って少なくとも２個設けられ、上記雨樋ネットの前側辺部を挿入する方向に向けて傾斜され該雨樋ネットの前側辺部の網目に入り込んで係止する突起部を有するネット保持部と、
を備えて成ることを特徴とする雨樋ネット取付用具。
【請求項２】
上記本体部材と取付部とネット保持部とは、可撓性を有する材料で一体的に形成されていることを特徴とする請求項１記載の雨樋ネット取付用具。
【請求項３】
屋根の軒先の下方に雨樋吊り具を用いて取り付けられた雨樋の両側縁部の前耳部及び後耳部に、請求項１に記載された雨樋ネット取付用具の前端取付部及び後端取付部を係合して、上記雨樋に雨樋ネット取付用具を取り付け、この雨樋ネット取付用具の前端部側に設けられたネット保持部の挟み込み部に雨樋ネットの前側辺部を挿入して保持し、該雨樋ネットの後側辺部は上記屋根の軒先に下向きに張り出して取り付けられた水切り用部材の下端部で押さえて保持したことを特徴とする雨樋ネットの取付構造。
【発明の詳細な説明】
【技術分野】
【０００１】
本発明は、屋根の軒先の下方に取り付けられた雨樋の上部開口に木の葉やゴミ等が詰まらないようにその上部開口を覆う雨樋ネットを該雨樋に取り付ける取付用具に関し、詳しくは、雨樋への雨樋ネットの取り付けを容易かつ確実にすることができる雨樋ネット取付用具及び屋根の軒先に水切り用部材が取り付けられた状態の雨樋に上記雨樋ネット取付用具を用いて雨樋ネットを取り付ける取付構造に係るものである。
【背景技術】
【０００２】
従来のこの種の雨樋ネット取付用具は、軒先に横架された軒樋の耳部と耳部とを連結するように軒樋の縁に弾性的に嵌合される固定金具を有し、この固定金具の平面部に折り曲げ可能な切り出し突起を設け、上記固定金具の平面部に木の葉等による雨樋の詰まりを防止するネット状金属体を敷設して、上記切り出し突起でネット状金属体を取り付けるようになっていた（例えば、特許文献１参照）。
【０００３】
また、他の雨樋ネット取付用具は、軒樋の両側上縁部に橋渡しされ、この橋渡しの両端部分に一対の嵌合凹部を備えたアーチ状の金具と、この金具に、軒樋の上部開口に被せられたアーチ状のネット状シートを締め付けて装着する締結具（ネジ）とから成っていた（例えば、特許文献２参照）。
【特許文献１】登録実用新案第３０３０５０１号公報
【特許文献２】登録実用新案第３１０２３９２号公報
【発明の開示】
【発明が解決しようとする課題】
【０００４】
しかし、特許文献１に記載の固定金具においては、軒樋の縁に嵌合される固定金具が平面状に形成されており、この固定金具の平面部にネット状金属体が敷設されるようになっているので、平面状に敷設されたネット状金属体の上に落ちた木の葉等がそのままネット上に堆積してしまうことがあった。これでは、軒樋がその役目を果たせないこととなる。また、固定金具へネット状金属体を固定するには、固定金具から切り出し突起を折り曲げて立ち上げ、この立ち上げられた切り出し突起にネット状金属体の網目を通していた。この場合、複数個の固定金具について切り出し突起を折り曲げなければならず、上記切り出し突起の折り曲げ作業が煩雑であった。したがって、軒樋へのネット状金属体の取り付けが容易ではなかった。
【０００５】
また、特許文献２に記載のアーチ状の金具においては、軒樋の両側上縁部に、両端部分の嵌合凹部を嵌合してアーチ状の金具を橋渡しに取り付け、この金具の上面にネット状シートを載せ、このネット状シートの上面からワッシャ等を介してネジ等で締め付け、該ネット状シートをアーチ状の金具に装着していたので、アーチ状に装着されたネット上に落ちた木の葉等が自然に滑り落ちるようにすることができる。しかし、この場合は、締め付け用のネジやワッシャ等を必要とするので、部品点数が多くなるものであった。また、複数個のアーチ状の金具にネジ等の締め付けによりネット状シートを装着するので、ドライバを使用していちいちネジを締め付けなければならず、ネジの締め付け作業が煩雑であった。したがって、軒樋へのネット状シートの取り付けが容易ではなかった。
【０００６】
一方、近年、屋根材としてスレート板瓦や金属板を使用する屋根がある。この場合は、屋根材が薄いことに起因して雨水が軒先から内側に回り込んで外壁に到達し、外壁が湿気を帯びることがある。そこで、これを防止するために、屋根の軒先に水切り用部材（一般に「水切り板」又は「唐草」と呼ばれる）を下向きに張り出して取り付けている。しかし、この場合、水切り用部材の下端部は、雨樋の後縁部側にて該雨樋の断面形状内に入り込んだ状態に配置されており、その水切り用部材が邪魔になって雨樋に雨樋ネット取付用具を取り付け不能となることがある。したがって、その雨樋に対しては雨樋ネットの取り付けができないことがあった。
【０００７】
そこで、本発明は、このような問題点に対処し、雨樋への雨樋ネットの取り付けを容易かつ確実にすることができる雨樋ネット取付用具及び屋根の軒先に水切り用部材が取り付けられた状態の雨樋に上記雨樋ネット取付用具を用いて雨樋ネットを取り付ける取付構造を提供することを目的とする。
【課題を解決するための手段】
【０００８】
上記目的を達成するために、本発明による雨樋ネット取付用具は、所定幅の板状に形成され縦断面形状が略ヘ字形に折り曲げられて、雨樋の上部開口を覆う雨樋ネットを下支えする本体部材と、この本体部材の前端部に形成され、雨樋の前側縁部の前耳部に係合する前端取付部と、上記本体部材の後端部にて、雨樋の両側縁部間の幅が異なるものに対応して係合可能に該本体部材の長手方向に沿って複数段形成され、雨樋の後側縁部の後耳部に係合する後端取付部と、上記本体部材の前端取付部よりも内側寄りに設けられ上記雨樋ネットの前側辺部を挿入して挟み込む挟み込み部を有すると共に、この挟み込み部内にて上記本体部材の長手方向に沿って少なくとも２個設けられ、上記雨樋ネットの前側辺部を挿入する方向に向けて傾斜され該雨樋ネットの前側辺部の網目に入り込んで係止する突起部を有するネット保持部と、を備えて成るものである。
【０００９】
このような構成により、所定幅の板状に形成され縦断面形状が略ヘ字形に折り曲げられた本体部材で雨樋の上部開口を覆う雨樋ネットを下支えし、この本体部材の前端部に形成された前端取付部により雨樋の前側縁部の前耳部に係合し、上記本体部材の後端部にて、雨樋の両側縁部間の幅が異なるものに対応して係合可能に該本体部材の長手方向に沿って複数段形成された後端取付部により雨樋の後側縁部の後耳部に係合し、上記本体部材の前端取付部よりも内側寄りに設けられた挟み込み部と、この挟み込み部内にて上記本体部材の長手方向に沿って少なくとも２個設けられ、上記雨樋ネットの前側辺部を挿入する方向に向けて傾斜された突起部とを有するネット保持部により、上記挟み込み部で雨樋ネットの前側辺部を挿入して挟み込み、上記突起部が雨樋ネットの前側辺部の網目に入り込んで係止する。
【００１１】
また、上記本体部材と取付部とネット保持部とは、可撓性を有する材料（例えば、合成樹脂や金属等）で一体的に形成されている。これにより、可撓性を有する材料で一体的に形成された本体部材と取付部とネット保持部とで、雨樋ネット取付用具に弾性を付与する。
【００１５】
そして、本発明による雨樋ネットの取付構造は、屋根の軒先の下方に雨樋吊り具を用いて取り付けられた雨樋の両側縁部の前耳部及び後耳部に、請求項１に記載された雨樋ネット取付用具の前端取付部及び後端取付部を係合して、上記雨樋に雨樋ネット取付用具を取り付け、この雨樋ネット取付用具の前端部側に設けられたネット保持部の挟み込み部に雨樋ネットの前側辺部を挿入して保持し、該雨樋ネットの後側辺部は上記屋根の軒先に下向きに張り出して取り付けられた水切り用部材の下端部で押さえて保持したものである。
【００１６】
このような構成により、屋根の軒先の下方に雨樋吊り具を用いて取り付けられた雨樋の両側縁部に、請求項１に記載された雨樋ネット取付用具の前端取付部及び後端取付部を係合して該雨樋ネット取付用具を取り付け、この雨樋ネット取付用具のネット保持部を用いて雨樋ネットの前側辺部を保持し、該雨樋ネットの後側辺部は上記屋根の軒先に下向きに張り出して取り付けられた水切り用部材の下端部で押さえて保持する。
【発明の効果】
【００１７】
請求項１に係る雨樋ネット取付用具によれば、雨樋の前側縁部の前耳部及び後側縁部の後耳部に、前端取付部及び後端取付部によって係合した本体部材の前端取付部の挟み込み部内に雨樋ネットの前側辺部を挿入するだけで、その雨樋ネットの前側辺部の網目に前記挟み込み部内の突起部が入り込んで係止するので、雨樋ネットを雨樋に容易に取り付けることができる。このとき、特別な準備作業や道具等を全く必要とせずに、雨樋ネットを容易に取り付けることができる。また、本体部材の後端部側にてその長手方向に沿って複数段形成された後端取付部で、両側縁部の前耳部と後耳部との間の幅が異なる雨樋に対応して係合可能とすることができる。したがって、一つの雨樋ネット取付用具により、両側縁部の前耳部と後耳部との間の幅が異なる複数の雨樋に共通して使用することができる。なお、本体部材の縦断面形状が略ヘ字形に折り曲げられているので、屋根の軒先に水切り用部材が下向きに張り出して取り付けられていても、その水切り用部材と干渉しないようにして雨樋ネット取付用具を雨樋に取り付けることができる。
【００１９】
また、請求項２に係る発明によれば、可撓性を有する材料で一体的に形成された本体部材と取付部とネット保持部とで、雨樋ネット取付用具に弾性を付与することができる。また、一体的に形成された本体部材と取付部とネット保持部とで、雨樋ネット取付用具を単一部材で形成することができる。したがって、他に付属の部品を全く必要とせず、単一製品として取り扱いを容易とすることができる。
【００２３】
そして、請求項３に係る雨樋ネットの取付構造によれば、屋根の軒先の下方に雨樋吊り具を用いて取り付けられた雨樋の両側縁部に、請求項１に記載された雨樋ネット取付用具の前端取付部及び後端取付部を係合して該雨樋ネット取付用具を取り付け、この雨樋ネット取付用具のネット保持部を用いて雨樋ネットの前側辺部を保持し、該雨樋ネットの後側辺部は上記屋根の軒先に下向きに張り出して取り付けられた水切り用部材の下端部で押さえて保持することができる。このとき、請求項１に記載された雨樋ネット取付用具は、本体部材の縦断面形状が略ヘ字形に折り曲げられているので、屋根の軒先に水切り用部材が下向きに張り出して取り付けられていても、その水切り用部材と干渉しないようにして雨樋ネット取付用具を雨樋に取り付けることができる。したがって、その雨樋に対して雨樋ネットを取り付けることができる。
【発明を実施するための最良の形態】
【００２４】
以下、本発明の実施形態を添付図面に基づいて詳細に説明する。
図１は、本発明による雨樋ネット取付用具の実施形態を示す断面説明図である。図１において、雨樋ネット取付用具１が適用される雨樋２は、屋根の軒先の下方に取り付けられたもので、横断面形状が下向きの略四角形状に形成されており、その長手方向の両側上縁部には例えば折曲げ状に形成された前耳部３ｆと、この前耳部３ｆよりも低い位置にて筒状に形成された後耳部３ｂとが設けられ、全体が例えば金属又は合成樹脂で形成されている。このような下向きの略四角形状に形成された角形の雨樋２は、一般に角樋と呼ばれている。
【００２５】
上記雨樋２の上部は開口されており、この上部開口から屋根を流れる雨水が雨樋２内に入るようになっている。そして、この雨樋２の上部開口には、木の葉やゴミ等の詰まりを防止するために該上部開口を覆う雨樋ネット４が装着される。この雨樋ネット４は、例えば金属製網又は合成樹脂製網であり、木の葉やゴミ等が雨樋２内に落ちない程度の大きさの網目に形成されている。
【００２６】
ここで、本発明においては、上記雨樋２に雨樋ネット４を取り付けるのに、雨樋ネット取付用具１を用いる。この雨樋ネット取付用具１は、屋根の軒先の下方に取り付けられた雨樋２の上部開口に木の葉やゴミ等が詰まらないようにその上部開口を覆う雨樋ネット４を該雨樋２に取り付けるもので、図２に示すように、本体部材５と、前端取付部６ｆと、後端取付部６ｂと、ネット保持部７とを備えて成る。
【００２７】
上記本体部材５は、図１に示す雨樋２の上部開口を覆う雨樋ネット４を下支えするもので、所定幅の板状に形成され（図３参照）縦断面形状が略ヘ字形に折り曲げられている。すなわち、前端部側にて上向きに立ち上がり後半部が下向きに立ち下がって略ヘ字形に形成され、その上面に上記雨樋ネット４を載せて下から支持するようになっており、可撓性を有する合成樹脂で形成されている。
【００２８】
上記本体部材５の両端部には、それぞれ前端取付部６ｆと、後端取付部６ｂとが形成されている。この前端取付部６ｆ及び後端取付部６ｂは、雨樋ネット取付用具１を雨樋２に取り付けるためのもので、図１に示す雨樋２の長手方向の両側上縁部の前耳部３ｆ及び後耳部３ｂに係合するようになっており、可撓性を有する合成樹脂で形成されている。
【００２９】
具体的には、前端取付部６ｆは、図２に示すように、本体部材５の前端部にて図１に示す雨樋２の前耳部３ｆの折曲げ部に係合するように前方に張り出した鉤状部材に形成されている。また、後端取付部６ｂは、本体部材５の後端部にて図１に示す雨樋２の筒状の後耳部３ｂを上方から挟み込むように上下方向に延びる凹状部材に形成されている。この後端取付部６ｂの下部には、すき間８が形成されると共に、このすき間８の入口外側には内側に曲がる抜け止め用のフック９が設けられている。このすき間８及びフック９を上記雨樋２の後耳部３ｂに上方から押し付けることにより、上記凹状部材が外側に弾性変形して、雨樋２の後耳部３ｂに後端取付部６ｂが係合する。
【００３０】
そして、図２においては、上記本体部材５の後端取付部６ｂは、両側縁部の前耳部３ｆと後耳部３ｂとの間の幅が異なる雨樋２に対応して係合可能に、本体部材５の長手方向に沿って複数段、例えば２段設けられている。すなわち、内側に位置する第１の後端取付部６1と、その外側に位置する第２の後端取付部６2とを有し、第１の後端取付部６1よりも第２の後端取付部６2の方が高い位置に設けられている。この場合、前耳部３ｆと後耳部３ｂとの間の幅が小さい雨樋２に対しては、第１の後端取付部６1で係合させ、前耳部３ｆと後耳部３ｂとの間の幅が大きい雨樋２に対しては、第２の後端取付部６2で係合させる。また、第１の後端取付部６1と第２の後端取付部６2とで高さに段差があることから、雨樋２の後耳部３ｂの高さにバラツキがあるものに対しても係合できる。さらに、第１の後端取付部６1と第２の後端取付部６2の段差のある外側面を雨樋２の後耳部３ｂに押し当てるなどして、複数段の後端取付部６1，６2のうちどれが雨樋２の幅に適合するかを判断しながら係合することができる。
【００３１】
なお、図１及び図２では、後端取付部６ｂを２段に形成したものとしたが、本発明はこれに限られず、本体部材５の長手方向に沿って３段以上設けてもよい。
【００３２】
上記本体部材５の前端取付部６ｆよりも内側寄りには、ネット保持部７が設けられている。このネット保持部７は、上記雨樋ネット４を本体部材５の上面側に保持するもので、挟み込み部１０と突起部１１とを備えて成り、可撓性を有する合成樹脂で形成されている。上記挟み込み部１０は、上記雨樋ネット４の前側辺部を挿入して挟み込むもので、図２に示すように、本体部材５の前端部側において板状部材を上向きに折り返して略平行に延ばし、その間に上記雨樋ネット４の前側辺部が入り得るすき間が形成されている。
【００３３】
また、上記突起部１１は、挟み込み部１０に挿入して挟み込まれた雨樋ネット４の前側辺部の網目に入り込んで係止するもので、上記挟み込み部１０内にて本体部材５の長手方向に沿って少なくとも２個設けられている。具体的には、図２に示すように、挟み込み部１０を形成する外側の折返し部材の内側面から内向きに嘴状に突出している。そして、上記突起部１１は、本体部材５の長手方向の中心線上に所定の間隔（例えば、雨樋ネット４の網目の整数倍の間隔）をおいて例えば２個設けられている。この場合、２個の突起部１１のうち、どちらか１個の突起部１１が網目に係止し、或いは、１個の突起部１１が折損したとしても残りの１個の突起部１１が網目に係止して、雨樋ネット４を確実に取り付けることができる。
【００３４】
上記突起部１１の突出方向は、図４に示すように、図１において雨樋ネット４の前側辺部をネット保持部７内に挿入する方向に向けて傾斜している。このとき、上記突起部１１の前縁１１ａは、ネット保持部７への取付基部に対して角度α（例えば７５度程度）で傾斜しており、上記突起部１１の前縁１１ａと後縁１１ｂとは、角度β（例えば１５度程度）で交わるようにされている。これにより、雨樋ネット４の前側辺部をネット保持部７内に挿入する際は、その挿入が容易となり、雨樋ネット４の前側辺部を引き抜く方向には、網目が突起部１１の後縁１１ｂに係止して抜けにくくなる。したがって、雨樋ネット４の前側辺部の複数の網目に突起部１１が確実に係止して、雨樋ネット４を確実、強固に取り付けることができる。
【００３５】
なお、図１、図２及び図４では、突起部１１を２個設けたものとしたが、本発明はこれに限られず、３個以上設けてもよい。また、上記突起部１１を挟み込み部１０の外側の折返し部材の内側面から内向きに突出したものとしたが、上記挟み込み部１０の一部となる本体部材５の外側面から外向きに突出させてもよい。
【００３６】
そして、この状態で、上記本体部材５と、前端取付部６ｆ及び後端取付部６ｂと、ネット保持部７とは、図２に示すように、可撓性を有する合成樹脂で一体的に形成されている。すなわち、前端取付部６ｆからネット保持部７を通って本体部材５に至り、この本体部材５から後端取付部６ｂに至るように、それぞれの部材が連続して一体的に形成されている。これにより、他に付属の部品を全く必要とせず、単一製品として取り扱いを容易とすることができる。また、部材全体の色は、雨樋２と同系統色としてもよいし、透明としてもよい。
【００３７】
なお、図１及び図２において、符号１２は、本体部材５の裏面にてその長手方向に沿って設けられた１本の筋状の補強用リブを示している。この補強用リブ１２を設けることにより、雨樋ネット取付用具１の全体の強度が増して、折れにくくなる。
【００３８】
図５は、上記雨樋ネット取付用具１の他の形状を示す正面図である。この実施例では、後端取付部６ｂにおいて２段に形成された第１の後端取付部６1と第２の後端取付部６2とで高さに段差を設けずに、第１の後端取付部６1及び第２の後端取付部６2の高さを同一としたものである。この場合でも、両側縁部の前耳部３ｆと後耳部３ｂとの間の幅が異なる雨樋２に対応して係合可能である。
【００３９】
図６は、上記雨樋ネット取付用具１の更に他の形状を示す正面図である。この実施例では、図１及び図２に示す前端取付部６ｆの形状を変更して、本体部材５の前端部にて図１に示す雨樋２の折曲げ状の前耳部３ｆを上方から挟み込むように上下方向に延びる凹状部材に形成して前端取付部６ｆ’としたものである。この場合、前端取付部６ｆ’は、本体部材５の前端部にて図１に示す雨樋２の前耳部３ｆの折曲げ部の下部角部に係合するように形成された鉤状部材を備えている。
【００４０】
なお、以上の説明では、雨樋ネット取付用具１の本体部材５と取付部６ｆ，６ｂとネット保持部７とは、可撓性を有する合成樹脂で一体的に形成したものとしたが、更に強度を強くするなどの必要に応じて、例えば、略ヘ字形の本体部材５の芯材として金属製の板材又は棒材を入れてその周りに合成樹脂を成形加工してもよい。或いは、略ヘ字形の本体部材５自体を金属板で作製し、該本体部材５の両端部の取付部６ｆ，６ｂ及びネット保持部７は合成樹脂で成形して取り付けてもよい。
【００４１】
図７は、上述のように構成された雨樋ネット取付用具１を用いて雨樋ネット４を雨樋２に取り付ける雨樋ネットの取付構造の実施形態を示す断面説明図である。この雨樋ネットの取付構造は、屋根１３の軒先に水切り用部材１４が取り付けられた状態の雨樋２に上記雨樋ネット取付用具１を用いて雨樋ネット４を取り付けるもので、屋根１３の軒先の下方に取り付けられた雨樋２の両側縁部の前耳部３ｆ及び後耳部３ｂに、例えば図２に示すように構成された雨樋ネット取付用具１の前端取付部６ｆ及び後端取付部６ｂを係合して、上記雨樋２に雨樋ネット取付用具１を取り付け、この雨樋ネット取付用具１の前端部側に設けられたネット保持部７の挟み込み部に雨樋ネット４の前側辺部を挿入して保持し、該雨樋ネット４の後側辺部は上記屋根１３の軒先に下向きに張り出して取り付けられた水切り用部材１４の下端部で押さえて保持したものである。
【００４２】
なお、図７において、符号１５は屋根１３の軒先下方に垂直方向に配置された鼻隠し板を示し、符号１６は鼻隠し板１５の上部にて傾斜して設けられた垂木を示し、符号１７は垂木１６の上に打ち付けられた屋根下地材を示し、符号１８は屋根下地材１７の上に葺かれたスレート板瓦や金属板等の屋根材を示し、符号１９は雨樋吊り具を示している。
【００４３】
次に、このような取付構造における雨樋ネット４の取り付け状態について説明する。まず、本発明による雨樋ネットの取付構造が適用される前提として、図７に示すように、屋根１３の軒先の下方にて鼻隠し板１５の外側面上部に、雨樋吊り具１９の取付け板２０を釘等で打ち付けて複数個の雨樋吊り具１９を所定間隔を置いて固定し、これらの雨樋吊り具１９を用いて上記屋根１３の軒先の下方に雨樋２が取り付けられている。
【００４４】
ここで、本発明が適用される屋根１３においては、一般に「水切り板」又は「唐草」と呼ばれる水切り用部材１４が、屋根下地材１７と屋根材１８との間に上半部を挟み込んで下向きに張り出して装着されている。この場合、上記水切り用部材１４の下端部は、図８に示すような状態に位置している。すなわち、雨樋２の前耳部３ｆの上部を通る水平線をＸ−Ｘ線で表し、雨樋２の前耳部３ｆと後耳部３ｂとの間の中心位置を通る垂直線をＹ−Ｙ線で表すと、水切り用部材１４の下端部は、Ｙ−Ｙ線よりも後耳部３ｂ側に寄った所に位置し、Ｘ−Ｘ線上に位置するか或いはＸ−Ｘ線よりもやや下がった所に位置している。換言すれば、水切り用部材１４の下端部は、雨樋２の後耳部３ｂ側にて雨樋２の断面形状内に入り込んだ状態になっている。
【００４５】
このような状態で、まず、屋根１３の軒先の下方に取り付けられた雨樋２の上部開口に雨樋ネット取付用具１を取り付ける。このとき、雨樋ネット取付用具１を手で持ち、本体部材５の後半部側を上記水切り用部材１４の下方に位置させるように差し入れて、先に雨樋２の前耳部３ｆに対して前端取付部６ｆの鉤状部材を挿入して係合する。その後、雨樋２の後耳部３ｂに対して後端取付部６ｂを上方から押し付け、雨樋２の幅に対応させて図２に示す第１の後端取付部６1又は第２の後端取付部６2のどちらかを選択して係合させる。このとき、雨樋２の幅と雨樋ネット取付用具１の幅とが少しずれていても、該雨樋ネット取付用具１の可撓性によって弾性変形し、雨樋２の上部開口に雨樋ネット取付用具１が取り付けられる。
【００４６】
以下、このようにして、雨樋２の長手方向に適宜の間隔で複数個の雨樋ネット取付用具１を順次固定する。このとき、図７に示すように、上記水切り用部材１４の下端部は、雨樋ネット取付用具１の後端取付部６ｂが形成された後半部側の上方にて下向きに張り出している。
【００４７】
次に、雨樋ネット４を手で持ち、該雨樋ネット４の長手方向の後側辺部を上記水切り用部材１４の下端部の下側に差し入れた状態に保持して、上記雨樋ネット４の長手方向の前側辺部を雨樋ネット取付用具１の前端部側に設けられたネット保持部７の挟み込み部１０（図２参照）内に挿入する。このとき、挟み込み部１０内に設けられた２個の突起部１１は雨樋ネット４の挿入方向に傾斜しているので、該雨樋ネット４の前側辺部が容易に挿入でき、突起部１１が雨樋ネット４の網目に入り込んで係止する。これにより、雨樋ネット取付用具１の前端部側に設けられたネット保持部７の挟み込み部１０によって雨樋ネット４の前側辺部が保持される。
【００４８】
上記のように雨樋ネット取付用具１のネット保持部７に前側辺部が保持された雨樋ネット４は、その後側辺部が固定されておらずそのまま後方に延びる自由端となっている。しかし、上記雨樋ネット４の後側辺部は、図７に示すように、屋根１３の軒先に下向きに張り出して取り付けられた水切り用部材１４の下端部で押さえて保持される。このとき、上記ネット保持部７の上向きの角度と水切り用部材１４の下端部の位置との相対関係から、雨樋ネット４の前側辺部から後側辺部に至る断面形状は、図７に示すような上向きの略円弧状になる。
【００４９】
この結果、図７に示すように、雨樋２に取り付けられた雨樋ネット取付用具１を用いて、雨樋２の上部開口に木の葉やゴミ等が詰まらないようにその上部開口を覆う雨樋ネット４を該雨樋２に取り付けることができる。また、上記雨樋ネット取付用具１は、可撓性を有する材料で形成されているので、例えば図２に示す前端取付部６ｆ又は後端取付部６ｂを弾性変形させることにより、雨樋２の前耳部３ｆ又は後耳部３ｂから外すことができ、雨樋ネット取付用具１を雨樋２に対して着脱可能とすることができる。したがって、雨樋２の保守、整備を容易とすることができる。
【図面の簡単な説明】
【００５０】
【図１】本発明による雨樋ネット取付用具の実施形態を示す断面説明図である。
【図２】上記雨樋ネット取付用具の形状を示す正面図である。
【図３】上記雨樋ネット取付用具の形状を示す斜視図である。
【図４】上記雨樋ネット取付用具のネット保持部に設けられた突起部の突出方向を示す図２のＡ部の拡大説明図である。
【図５】上記雨樋ネット取付用具の他の形状を示す正面図である。
【図６】上記雨樋ネット取付用具の更に他の形状を示す正面図である。
【図７】上記雨樋ネット取付用具を用いて雨樋ネットを雨樋に取り付ける雨樋ネットの取付構造の実施形態を示す断面説明図である。
【図８】屋根の軒先に取り付けられた水切り用部材とその軒先の下方に取り付けられた雨樋との位置関係を示す断面説明図である。
【符号の説明】
【００５１】
１…雨樋ネット取付用具
２…雨樋
３ｆ…前耳部
３ｂ…後耳部
４…雨樋ネット
５…本体部材
６ｆ，６ｆ’…前端取付部
６ｂ…後端取付部
６1…第１の後端取付部
６2…第２の後端取付部
７…ネット保持部
１０…挟み込み部
１１…突起部
１４…水切り用部材
１９…雨樋吊り具
【図１】
0005342758.tif 000002
【図２】
0005342758.tif 000003
【図３】
0005342758.tif 000004
【図４】
0005342758.tif 000005
【図５】
0005342758.tif 000006
【図６】
0005342758.tif 000007
【図７】
0005342758.tif 000008
【図８】
0005342758.tif 000009